【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
画像処理装置であって、
操作画面を表示する表示部と、
前記表示部への前記操作画面の表示のために使用される、所定の設定項目に関する設定値であって、ユーザ毎の個人設定値と、複数のユーザで共通に使用される共有設定値と、を記憶する記憶部と、
管理者権限を有する管理者ユーザの操作に従って、前記所定の設定項目に関するユーザ毎のカスタマイズ機能の使用を許可するか否かを設定する設定手段と、
ユーザを前記画像処理装置へログインさせるためのログイン処理を行うログイン処理手段と、
前記画像処理装置へログインした一般ユーザからの、前記所定の設定項目に関する設定値の登録指示を受信する受信手段と、
前記設定手段により前記所定の設定項目に関するユーザ毎のカスタマイズ機能の使用を許可する設定がされている状態で、前記受信手段により前記一般ユーザからの前記登録指示を受け付けた場合は、登録指示された設定値を、前記一般ユーザの個人設定値として前記記憶部に記憶させ、前記設定手段により前記所定の設定項目に関するユーザ毎のカスタマイズ機能の使用を許可しない設定がされている状態で、前記受信手段により前記一般ユーザからの前記登録指示を受け付けた場合は、登録指示された設定値を、前記共有設定値として前記記憶部に記憶するよう制御する記憶制御手段と、
を有することを特徴とする画像処理装置。
【請求項２】
前記設定手段により前記所定の設定項目に関するユーザ毎のカスタマイズ機能の使用を許可する設定がされている状態で、前記一般ユーザがログインした場合、前記一般ユーザの個人設定値を前記記憶部から読み出し、読み出した前記個人設定値に基づく操作画面を前記表示部に表示させ、前記設定手段により前記所定の設定項目に関するユーザ毎のカスタマイズ機能の使用を許可しない設定がされている状態で、前記一般ユーザがログインした場合、前記共有設定値を前記記憶部から読み出し、読み出した前記共有設定値に基づく操作画面を前記表示部に表示させる表示制御手段と、
を更に有することを特徴とする請求項１に記載の画像処理装置。
【請求項３】
前記表示制御手段は、前記画像処理装置にログインしていた前記一般ユーザがログアウトした場合、前記設定手段による設定にかかわらず、前記共有設定値を前記記憶部から読み出し、読み出した前記共有設定値に基づく操作画面を前記表示部に表示させることを特徴とする請求項２に記載の画像処理装置。
【請求項４】
前記設定手段は、前記表示部に表示された、前記管理者ユーザの操作に従ってユーザ毎のカスタマイズ機能の使用を許可するか否かを設定するための設定画面を介した前記管理者ユーザの操作に従って、前記所定の設定項目に関するユーザ毎のカスタマイズ機能の使用を許可するか否かを設定することを特徴とする請求項１乃至３の何れか１項に記載の画像処理装置。
【請求項５】
前記設定手段は、ユーザ毎のカスタマイズ機能の対象となる複数の設定項目毎に、ユーザ毎のカスタマイズ機能の使用を許可するか否かを設定することが可能であることを特徴とする請求項１乃至４の何れか１項に記載の画像処理装置。
【請求項６】
前記所定の設定項目は、前記操作画面の表示言語であることを特徴とする請求項１乃至５の何れか１項に記載の画像処理装置。
【請求項７】
前記所定の設定項目は、前記画像処理装置の起動に従って最初に表示される初期表示画面であることを特徴とする請求項１乃至６の何れか１項に記載の画像処理装置。
【請求項８】
前記画像処理装置はコピージョブを実行することが可能であり、
前記操作画面は、実行すべきコピージョブの設定情報が表示される画面であり、
前記設定項目は、コピージョブのデフォルト設定情報であることを特徴とする請求項１乃至５の何れか１項に記載の画像処理装置。
【請求項９】
前記共有設定値は、ユーザ毎のカスタマイズ機能の使用が許可されていないときのみ変更可能であることを特徴とする請求項１乃至８の何れか１項に記載の画像処理装置。
【請求項１０】
ユーザ毎のカスタマイズ機能の対象となる複数の設定項目のうちの一部の設定項目の共有設定値は、ユーザ毎のカスタマイズ機能の使用が許可されているときに管理者ユーザによって変更可能であることを特徴とする請求項１乃至９の何れか１項に記載の画像処理装置。
【請求項１１】
原稿上の画像を読み取って画像データを生成する読取手段を更に有することを特徴とする請求項１乃至１０の何れか１項に記載の画像処理装置。
【請求項１２】
画像データに基づいて、用紙上に画像を印刷する印刷手段を有することを特徴とする請求項１乃至１１の何れか１項に記載の画像処理装置。
【請求項１３】
操作画面を表示する表示部と、前記表示部への前記操作画面の表示のために使用される、所定の設定項目に関する設定値であって、ユーザ毎の個人設定値と、複数のユーザで共通に使用される共有設定値と、を記憶する記憶部と、を有する画像処理装置が実行する情報処理方法であって、
管理者権限を有する管理者ユーザの操作に従って、前記所定の設定項目に関するユーザ毎のカスタマイズ機能の使用を許可するか否かを設定する設定ステップと、
ユーザを前記画像処理装置へログインさせるためのログイン処理を行うログイン処理ステップと、
前記画像処理装置へログインした一般ユーザからの、前記所定の設定項目に関する設定値の登録指示を受信する受信ステップと、
前記設定ステップで前記所定の設定項目に関するユーザ毎のカスタマイズ機能の使用を許可する設定がされている状態で、前記受信ステップで前記一般ユーザからの前記登録指示を受け付けた場合は、登録指示された設定値を、前記一般ユーザの個人設定値として前記記憶部に記憶させ、前記設定ステップで前記所定の設定項目に関するユーザ毎のカスタマイズ機能の使用を許可しない設定がされている状態で、前記受信ステップで前記一般ユーザからの前記登録指示を受け付けた場合は、登録指示された設定値を、前記共有設定値として前記記憶部に記憶するよう制御する記憶制御ステップと、
を含むことを特徴とする情報処理方法。
【請求項１４】
コンピュータを、請求項１乃至１２の何れか１項に記載の画像処理装置の各手段として、機能させるためのプログラム。
【手続補正２】
【補正対象書類名】明細書
【補正対象項目名】発明の名称
【補正方法】変更
【補正の内容】
【発明の名称】画像処理装置、情報処理方法及びプログラム
【手続補正３】
【補正対象書類名】明細書
【補正対象項目名】０００１
【補正方法】変更
【補正の内容】
【０００１】
本発明は、画像処理装置、情報処理方法及びプログラムに関する。
【手続補正４】
【補正対象書類名】明細書
【補正対象項目名】０００５
【補正方法】変更
【補正の内容】
【０００５】
そこで、本発明の画像処理装置は、操作画面を表示する表示部と、前記表示部への前記操作画面の表示のために使用される、所定の設定項目に関する設定値であって、ユーザ毎の個人設定値と、複数のユーザで共通に使用される共有設定値と、を記憶する記憶部と、管理者権限を有する管理者ユーザの操作に従って、前記所定の設定項目に関するユーザ毎のカスタマイズ機能の使用を許可するか否かを設定する設定手段と、ユーザを前記画像処理装置へログインさせるためのログイン処理を行うログイン処理手段と、前記画像処理装置へログインした一般ユーザからの、前記所定の設定項目に関する設定値の登録指示を受信する受信手段と、前記設定手段により前記所定の設定項目に関するユーザ毎のカスタマイズ機能の使用を許可する設定がされている状態で、前記受信手段により前記一般ユーザからの前記登録指示を受け付けた場合は、登録指示された設定値を、前記一般ユーザの個人設定値として前記記憶部に記憶させ、前記設定手段により前記所定の設定項目に関するユーザ毎のカスタマイズ機能の使用を許可しない設定がされている状態で、前記受信手段により前記一般ユーザからの前記登録指示を受け付けた場合は、登録指示された設定値を、前記共有設定値として前記記憶部に記憶するよう制御する記憶制御手段と、を有することを特徴とする。